(57)【要約】【課題】  従来、前面板のサンドペーパーの刃と、前面板等とによるラップフイルムのカットは、従来の歯によるカットと同じである。確実な切断は望めなく、かつ切り口の美麗性が確保されない。サンドペーパー（前蓋板）への押圧力は、所定箇所を押えた指のみであり、十分とは考えられず、従来の歯によるカットと同じである。【解決手段】  本発明は、ペーパー筐体に前蓋板と前蓋板舌板とを設けたペーパーホルダで、前面板にサンドペーパーを付設し、前蓋板に、指を添設するマークを設ける構造であり、前蓋板の所定箇所を指で押え、ラップフイルムを引張り出し、前蓋板舌板に添って、カットすることで、容易に、かつ切り口を美麗にカットできる。指等を怪我することなくカットできる。【選択図】      図１
2016199279.tif 000002
【特許請求の範囲】
【請求項１】
方形状の筐体に設けた前蓋板と前蓋板舌板とで構成したペーパーホルダ、ペーパーケースにおいて、
前面板にサンドペーパーを付設し、前記前蓋板の両端に、指を添設するマークを設ける構成としたペーパーホルダ、ペーパーケース。
【請求項２】
前記サンドペーパーを囲繞するように、銅紙を展着する構成とした請求項１に記載の
ペーパーホルダ、ペーパーケース。
【請求項３】
前記サンドペーパーを、前記前面板に着脱自在に設ける構成とした請求項１に記載のペーパーホルダ、ペーパーケース。
【請求項４】
前記前面板に突部を形成し、この前面板と前蓋板との間に、隙間を形成し、この前蓋板への指の掛かりを可能とする構成とした請求項１に記載のペーパーホルダ、ペーパーケース。
【請求項５】
前記サンドペーパーのサンドの刃と、前記前蓋板、及び／又は、前蓋板舌板の裏面との圧接を介して、ペーパーをカット可能とする構成とした請求項１に記載のペーパーホルダ、ペーパーケース。
【発明の詳細な説明】
【技術分野】
【０００１】
本発明は、ロールペーパー、ラップフイルム、又はキッチンペーパー、或いはトイレットペーパー、ガムテープとか、その他のテープ類を収容し、ロールペーパー、ラップフイルム、又はキッチンペーパー、テープ類等を、確実、かつ美麗にカット（切断）できるペーパーホルダ、ペーパーケースに関する。
【背景技術】
【０００２】
従来のペーパーホルダ、ペーパーケースでは、筐体の前面板の下端に設けたノコギリ歯とか、前蓋板の裏面に設けたノコギリ歯を備える構造であって、この歯は、カッターであり、かつペーパー、ラップフイルム（ラップ）の切り口のガイドとなる。従って、切り口がギザギザになり易く、体裁が悪い。また、場合により、手、手先等の皮膚を怪我すること、又は取扱いに注意を要すること、等の状況があり得る。そして、一部に、紙製とか樹脂製のカッターが採用されているが、いずれにしても、歯の形態であり、前述の状況となり易いものである。
【０００３】
その改良として、サンドペーパーを歯の代替とする発明とか考案が提案されている。その一例を挙げる。先ず、実用新案登録第３０２０２９１号公報の「サンドペーパーで切断するロールホルダー」がある。この考案は、前面板の下端にサンドペーパーを設ける構造であり、かつサンドペーパーを塗布する構造である。従って、サンドペーパーのサンド（研削材）と、ラップフイルムの引張りでカットすることから、切り口のカットが容易でないことと、切り口がギザギザになり易く、かつ体裁がよくないと考えられる。また、サンドペーパーは塗布方式で、取換不可であり、無駄となる虞がある。次に、特開平６−２３９３３８号公報の「砥石粒刃材付のラップフイルム収容紙箱」がある。この発明は前蓋板と前蓋板舌板との折目から、前蓋板舌板に向かってサンドペーパーを塗布し、使用時には、前蓋板の裏面に、前蓋板舌板を接着し、ラップフイルムを、サンドペーパーと前面板との間の挾持、及びサンド（砥石粒）とにより、カットする構造である。従って、前述の考案と同じような問題点を抱えている。
【０００４】
【特許文献１】実用新案登録第３０２０２９１号公報
【特許文献２】特開平６−２３９３３８号公報
【発明の概要】
【発明が解決しようとする課題】
【０００５】
先行文献（１）、（２）は、従来と、市販のカッター（歯）の改良として、有効と思われる。例えば、カッターの問題点解消に役立つと考えられる。
【０００６】
先ず、文献（１）、（２）は、サンドペーパーでのカットであり、手先等の皮膚を怪我する心配が無くなり、かつ取扱いが容易であること、等である。
【０００７】
しかしながら、文献（１）の如く、サンドペーパーに対して、角度を持って引出し、サンドのみによるカットでは、例えば、確実な切断は望めなく、かつ切り口のギザギザが残り易く、体裁が良くない（切り口の美麗性が確保されない）ことが考えられる。
【０００８】
また文献（２）の如く、前面板へのサンドペーパーのみの圧接によるカットでは、例えば、サンドの刃と、ラップフイルムとによるカットであり、従来の歯によるカットと同じである。従って、確実な切断は望めなく、かつ切り口の美麗性が確保されないことが考えられる。また、サンドペーパー（前蓋板）への押圧力は、所定箇所を押えた片手の指（以下、指とする）のみであり、十分とは考えられず、従来の歯によるカットと同じである。従って、確実な切断は望めなく、かつ切り口の美麗性が確保されないことが考えられる。尚、切断に応じて、指を、順次、移動して指圧する所作も可能であるが、厄介であり、かつ大きい形状のロールペーパー、又はラップフイルム、或いはキッチンペーパーでは、前記所作は困難と考えられる。
【課題を解決するための手段】
【０００９】
上記に鑑み、本発明では、ペーパー筐体に、ロールペーパー、ラップフイルム、又はキッチンペーパー（以下、ラップフイルムとする）、テープ類等を収容し、ペーパーホルダ、ペーパーケース、その他のケース類（以下、ペーパーホルダとする）を、所定箇所を押えた指（押え指）で、必要とする長さを、かつ切り口を美麗にカットできること、又は指等を怪我することなくカットできること等が達成できるペーパーホルダを提供する。
【００１０】
また、本発明は、サンドペーパーを、前蓋板、及び／又は、前蓋板舌板をサンドペーパーに押圧し、サンドペーパーのサンドの刃（微粒子のサンドの刃）と、この刃に向かって押圧される前蓋板、及び／又は、前蓋板舌板の裏面との間でカットされるとともに、前蓋板舌板の先端部をガイドとしてカットすることで、前記目的を確実に達成できるペーパーホルダを提供する。
【００１１】
以上の目的達成のために、請求項１〜請求項５に記載のペーパーホルダを提供する。
【発明の効果】
【００１２】
請求項１の発明は、方形状の筐体に設けた前蓋板と前蓋板舌板とで構成したペーパーホルダにおいて、
前面板にサンドペーパーを付設し、前蓋板の両端に、指を添設するマークを設けるペーパーホルダであり、前蓋板、及び／又は、前蓋板舌板の所定箇所を指で押え、ラップフイルムを必要とする長さ引張り出した後、前蓋板舌板の先端部に添って、カットする（前蓋板舌板をガイドとしてカットする）ことで、容易に、かつ切り口を美麗にカットできること、又は指等を怪我することなくカットできること等の特徴がある。また、サンドペーパーに、前蓋板舌板を指で押えるとともに、前蓋板舌板の先端部をガイドとしてカットすることで、僅かな引張り力で、指等を傷付けることなくカットできるので、安心かつ安全が確保される特徴がある。
【００１３】
請求項２の発明は、サンドペーパーを囲繞するように、銅紙を展着するペーパーホルであり、請求項１の特徴を達成できること、又はラップフイルムの切り口等の衛生面を確保できる特徴がある。
【００１４】
請求項３の発明は、サンドペーパーを、前面板に着脱自在に設けるペーパーホルダであり、請求項１の特徴を達成できること、又はサンドペーパーのサンドをカットに必要とする条件を確保しつつ、かつラップフイルムの切り口等の美麗なカットと、確実なカットを行える実益がある。
【００１５】
請求項４の発明は、前面板に突部を形成し、前面板と前蓋板との間に、隙間を形成し、前蓋板への指の掛かりを可能とするペーパーホルダであり、請求項１の特徴を達成できること、又は何人も前蓋板舌板の開放を容易とするとともに、殊に、障害者や、指に障害がある人にも、容易な開放ができるペーパーホルダの提供ができる実益がある。
【００１６】
請求項５の発明は、サンドペーパーのサンドの刃（刃先）と、前蓋板、及び／又は、前蓋板舌板の裏面との圧接を介して、ラップフイルムをカット可能とするペーパーホルダであり、請求項１の特徴を達成できること、又は何人もラップフイルムのカットの容易化が図れるとともに、殊に、障害者や、指に障害がある人にも、容易なカットができるペーパーホルダの提供ができる実益がある。
【図面の簡単な説明】
【００１７】
【図１】ペーパーホルダの一例を示した斜視図
【図２】ペーパーホルダの他の一例を示した斜視図
【図３】ペーパーホルダにおいて、前蓋板舌板をガイドとして、ラップフイルムをカットする直前の状態を示した拡大姿図
【図４】図３において、ラップフイルムをカットする状態を示した姿図
【図５】図４の端面図
【図６】サンドペーパーの一例を示した要部の斜視図
【図７】前蓋板を、前面板から容易に離脱する為に、指の掛かり穴を設ける構成としたペーパーホルダの他の一例を示した斜視図
【図８】ペーパーホルダを樹脂、金属等の恒久性の素材で形成したその他の一例を示した斜視図
【発明を実施するための形態】
【００１８】
以下、本発明の好ましい、各実施例を説明する。
【００１９】
Ａはペーパーホルダ（ラップフイルムホルダ）であり、その素材は、例えば、図１等に示した一般の紙製と、図８に示した恒久性のある材料とする。筐形（筐体１）が形成される。この筐体１は、図５に示すように、底板１００と、その両側を形成する後面板１０１、及び、これに対峙する前面板１０２と、天板１０３と、を折曲げ線で形成するとともに、長手方向Ｘを閉塞する両側面板１０４とでなる筐体本体１ａを形成し、かつこの一例では、天板１０３に折曲げ垂下した垂下板１０３ａの前面に前蓋板１０５と、この前蓋板１０５の先端に前蓋板舌板１０６とでなる筐体前蓋板・舌板１ｂを形成した構造である。従って、この一例では、筐体本体１ａと、筐体前蓋・板舌板１ｂとで筐体を構成する。尚、図８のように恒久性の素材で筐体を形成する場合には、天板の開閉を可能とするため、後面板１０１と天板１０３とを、蝶番等により枢動可能に連結することも考えられる。
【００２０】
但し、図示しないが、従来と同様に、筐体本体１ａより延設し、一枚構造を構成する前蓋板１０５、並びに前蓋板舌板１０６（筐体前蓋板・舌板１ｂ）の構成も、本発明の一例である。
【００２１】
また、図７に示すように、前蓋板舌板１０６に切欠きを形成し、この切欠きに指を掛けて、前蓋板舌板１０６、及び／又は、前蓋板１０５の開きＹを容易とすることと、障害者や、指に障害がある人にも、容易な開きＹが図れること、等の実益が上げられる。尚、容易な開きＹをするための（指の掛かりを容易するための）他の方法として、図示しないが、前蓋板舌板１０６の下辺近傍の略中央部に、掛かり用孔や、外側に突出した掛かり用突出片を設ける。この孔、突出片は、指の掛かりを容易とすることを意図する。また、孔、突出片等の形状及び大きさ等は限定されない。
【００２２】
図中２は、筐体１の長手方向Ｘの両側面板１０４に内方に向かって突出した支持杆であり、ラップフイルムＡＡを筐体１内に空間を持って支持する。
【００２３】
また、図中３はサンドペーパーであり、前面板１０２の下側に取付・取外自在となっており、サンド３００が刃としての機能が無くなった際に、取り替える構造である。従って、例えば、筐体１を恒久性とした構造とか、従来品に取付ける構造等においては有効である。サンドペーパー３は、図６等において示したような構造であり、長手方向Ｘの全体に設けることを意図する。
【００２４】
図中５は突部であり、突部５は、前面板１０２と前蓋板１０５との間に隙間Ｈを設け得る（図１、図２参照）。従って、この隙間Ｈは、例えば、前蓋板１０５、又は、前蓋板舌板１０６に指の掛かりを容易にするために有効である。この前蓋板１０５、又は、前蓋板舌板１０６に指を掛けて、該前蓋板１０５、又は、該前蓋板舌板１０６の開きＹを容易とする。この一例では、植毛とする。障害者とか、手、及び／又は、指等に障害が有る人、或いは老人等に有益である。尚、突部５は取付・取外自在となっている。また、突部５はスポンジ、ばね等の緩衝効果があるものが望ましい。
【００２５】
図中６は銅紙であり、サンドペーパー３を囲繞するように、前面板１０２に取付・取外自在に設ける。銅紙６による殺菌効果と、清潔感を確保する。
【００２６】
次に本発明の使用の一例（ラップフイルムＡＡのカット）を説明すると、突部５により、前面板１０２より離間している前蓋板１０５、又は前蓋板舌板１０６に指を掛け（前面板１０２と前蓋板１０５との間に形成される隙間Ｈを利用することで、前蓋板１０５、又は前蓋板舌板１０６の何れかへの指の掛かりを容易となる）、ラップフイルムＡＡを必要な長さだけ引出す。続いて、ラップフイルムＡＡをカットするが、前蓋板１０５の親指とのマーク（表記）Ｚに則り、このマークＺを押して、前蓋板舌板１０６をサンドペーパー３に押し当てるとともに、力を入れた状態で、前蓋板舌板１０６の先端部をガイドとして、ラップフイルムＡＡを上方に引き上げることで、カットされるとともに、その切り口が美麗にカット（切断）される。ラップフイルムＡＡは、サンドペーパー３のサンド３００の刃（微粒子のサンド３００の刃部）と、この刃に向かって押圧される前蓋板１０５、及び／又は、前蓋板舌板１０６の裏面の平坦面との間でカットされる。従って、指に負担を与えることなく、確実かつスムースにカットできることと、例えば、障害者、老人等の非健常者でも、簡易に美麗にカットできる。
【００２７】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２８】
１  筐体
１００  底板
１０１  後面板
１０２  前面板
１０３  天板
１０３ａ  垂下板
１０４  側面板
１０５  前蓋板
１０６  前蓋板舌板
１ａ  筐体本体
１ｂ  筐体前蓋板舌板
２  支持杆
３  サンドペーパー
３００  サンド（刃）
５  突部
６  銅紙
Ａ  ペーパーホルダ（ラップフイルムホルダ）
ＡＡ  ラップフイルム
Ｈ  隙間
Ｘ  長手方向
Ｙ  開き
Ｚ  マーク
【図１】
2016199279.tif 000003
【図２】
2016199279.tif 000004
【図３】
2016199279.tif 000005
【図４】
2016199279.tif 000006
【図５】
2016199279.tif 000007
【図６】
2016199279.tif 000008
【図７】
2016199279.tif 000009
【図８】
2016199279.tif 000010